(57)【特許請求の範囲】
【請求項１】
磁気テープを引き出して回転ドラムに巻装するポールを少くとも取り付け、シャーシに形成されたガイド溝に沿ってアンローディング位置とローディング完了位置との間を往復移動するポールベースと、
このポールベースに連係されて該ポールベースを前記ガイド溝に沿って往復移動させるローディングアームと、
このローディングアームを回動させるローディングギヤと、
前記ポールベースを所定位置に圧着規制させる捩りコイルバネとを備えた磁気記録再生装置のテープローディング機構において、
前記ローディングアームの基端部に前記ローディングギヤを一体形成し、
このローディングアームの先端側と前記ポールベースとに前記捩りコイルバネの両端側をそれぞれ支持して前記ポールベースを前記アンローディング位置及び前記ローディング完了位置にそれぞれ圧着規制自在にする一方、
前記シャーシにコントロールプレートを往復移動自在に設け、このコントロールプレートに設けられたラックに前記ローディングギヤのピニオンを噛合させると共に、該コントロールプレートに設けられたカムに前記ローディングアームに設けられたカムフォロアを摺動自在にしたことを特徴とする磁気記録再生装置のテープローディング機構。
【請求項２】
請求項１記載の磁気記録再生装置のテープローディング機構において、
前記ガイド溝の前記ポールベースのローディング完了位置側に幅広部を設け、
この幅広部から前記ガイド溝内に前記ポールベースの下面に突設した逆Ｔ字状の抜け止め部を挿入自在にする一方、前記シャーシの前記ポールベースのローディング完了位置側に、前記幅広部への前記抜け止め部の挿入時に該ポールベースの位置を所定位置に案内規制するガイドを設けたことを特徴とする磁気記録再生装置のテープローディング機構。
【発明の詳細な説明】
【０００１】
【発明の属する技術分野】
本発明は、テープカセットから磁気テープを引き出し、回転ドラムに巻き付けるビデオテープレコーダ（ＶＴＲ）等の磁気記録再生装置のテープローディング機構に関する。
【０００２】
【従来の技術】
この種のＶＴＲのテープローディング機構として、図６に開示されたものがある。
【０００３】
このＶＴＲのテープローディング機構１０′は、テープカセット１から磁気テープ２を引き出して回転ドラム３に巻装する傾斜ポール１２及びガイドローラ１３を取り付け、シャーシ４に形成された長孔状で左右一対のガイド溝５，５′に沿ってアンローディング位置とローディング完了位置との間を往復移動するサプライ側及びテイクアップ側の一対のポールベース１１，１１′と、上記シャーシ４に各支軸１４，１４′で回転自在に支持されると共に、各中間リンク１５，１５′を介して上記各ポールベース１１，１１′を上記各ガイド溝５，５′に沿って往復移動させる一対のローディングアーム１６，１６′と、この各ローディングアーム１６，１６′を回動させる各ローディングギヤ１７，１７′と、一端を各ローディングアーム１６，１６′に係止させ、かつ他端を各ローディングギヤ１７，１７′に係止させて上記各ポールベース１１，１１′をローディング完了位置に圧着規制させる各コイルバネ１８，１８′とを備えている。
【０００４】
サプライ側のローディングギヤ１７とテイクアップ側のローディングギヤ１７′とは噛合していて、該サプライ側のローディングギヤ１７にはピニオン１７ａを一体突出形成してある。このピニオン１７ａは、図示しない駆動モータ等によりシャーシ４の下面に沿って往復移動するコントロールプレート１９のラック１９ａに噛合している。
【０００５】
そして、上記コントロールプレート１９の往動（図６中矢印Ａ方向の移動）により、サプライ側のローディングギヤ１７が時計方向に、テイクアップ側のローディングギヤ１７′が反時計方向に、それぞれ回転することにより、各ローディングギヤ１７，１７′と同軸上にある各ローディングアーム１６，１６′が同方向にそれぞれ回転し、これら各ローディングアーム１６，１６′と各中間リンク１５，１５′と各ポールベース１１，１１′から成るリンク機構により、各ポールベース１１，１１′がシャーシ４の各ガイド溝５，５′に沿って移動してテープカセット１の磁気テープ２を回転ドラム３側に引き出す。
【０００６】
各ポールベース１１，１１′がシャーシ４の各ガイド溝５，５′の図中上端のローディング完了位置に来ると、各ローディングアーム１６，１６′と各ローディングギヤ１７，１７′との間に介在された各コイルバネ１８，１８′によってリミッター機構が働いて上記各ポールベース１１，１１′がローディング完了位置に圧着規制される。また、この際の圧着力は、サプライ側のローディングギヤ１７のピニオン１７ａの欠歯部分１７ｂとコントロールプレート１９のラック１９ａとの摩擦によっても得られる。
【０００７】
尚、このＶＴＲのテープローディング機構１′に関する類似技術は、特開平５−１８２３１７号公報に開示されている。
【０００８】
【発明が解決しようとする課題】
しかしながら、前記従来のＶＴＲのテープローディング機構１０′では、構成部品が片側でポールベース１１（１１′）と中間リンク１５（１５′）とローディングアーム１６（１６′）とローディングギヤ１７（１７′）及びコイルバネ１８（１８′）の５点と多く、その分コスト高であった。また、各ポールベース１１，１１′をシャーシ４の各ガイド溝５，５′の下端のアンローディング位置に規制するためのロック機構が必要となり、この点からも構成部品が増えてコスト高になる。さらに、各ポールベース１１，１１′をローディング完了位置に圧着規制する際の圧着力を得るために、サプライ側のローディングギヤ１７のピニオン１７ａに欠歯部分１７ｂを設けているので、該欠歯部分１７ｂの磨耗が大きかった。
【０００９】
そこで、本発明は、前記した課題を解決すべくなされたものであり、部品点数を削減してコストダウンを図ることができると共に、ポールベースのアンローディング位置への圧着規制も簡単かつ確実に行うことができる磁気記録再生装置のテープローディング機構を提供することを目的とする。
【００１０】
【課題を解決するための手段】
請求項１の発明は、磁気テープを引き出して回転ドラムに巻装するポールを少くとも取り付け、シャーシに形成されたガイド溝に沿ってアンローディング位置とローディング完了位置との間を往復移動するポールベースと、このポールベースに連係されて該ポールベースを前記ガイド溝に沿って往復移動させるローディングアームと、このローディングアームを回動させるローディングギヤと、前記ポールベースを所定位置に圧着規制させる捩りコイルバネとを備えた磁気記録再生装置のテープローディング機構において、前記ローディングアームの基端部に前記ローディングギヤを一体形成し、このローディングアームの先端側と前記ポールベースとに前記捩りコイルバネの両端側をそれぞれ支持して前記ポールベースを前記アンローディング位置及び前記ローディング完了位置にそれぞれ圧着規制自在にする一方、前記シャーシにコントロールプレートを往復移動自在に設け、このコントロールプレートに設けられたラックに前記ローディングギヤのピニオンを噛合させると共に、該コントロールプレートに設けられたカムに前記ローディングアームに設けられたカムフォロアを摺動自在にしたことを特徴とする。
【００１２】
請求項２の発明は、請求項１記載の磁気記録再生装置のテープローディング機構において、前記ガイド溝の前記ポールベースのローディング完了位置側に幅広部を設け、この幅広部から前記ガイド溝内に前記ポールベースの下面に突設した逆Ｔ字状の抜け止め部を挿入自在にする一方、前記シャーシの前記ポールベースのローディング完了位置側に、前記幅広部への前記抜け止め部の挿入時に該ポールベースの位置を所定位置に案内規制するガイドを設けたことを特徴とする。
【００１３】
【発明の実施の形態】
以下、本発明の一実施形態を図面に基づいて説明する。
【００１４】
図１〜図３は本発明の一実施形態の磁気記録再生装置としてのＶＴＲのテープローディング機構を示す平面図である。
【００１５】
このＶＴＲのテープローディング機構１０は、テープカセット１から磁気テープ２を引き出して回転ドラム３に巻装する傾斜ポール１２及びガイドローラ１３を取り付け、金属製のシャーシ４に形成された長孔状で左右一対のガイド溝５，５′に沿ってアンローディング位置とローディング完了位置との間を往復移動するサプライ側及びテイクアップ側の一対のポールベース１１，１１′と、上記シャーシ４に各支軸１４，１４′で回転自在に支持されると共に、トーションスプリングとして機能する金属製の各捩りコイルバネ２０，２０′を介して上記各ポールベース１１，１１′を上記各ガイド溝５，５′に沿って往復移動させる合成樹脂製で一対のローディングアーム１６，１６′とを備えている。
【００１６】
図１〜図３及び図５（ａ），（ｂ），（ｃ）に示すように、各ポールベース１１，１１′は金属製で所定形状のブロック状に形成してあり、その下面の前後中央には各ガイド溝５，５′内に挿入されて摺動するガイドピン１１ａ，１１ｂを一体突出形成してある。また、各ポールベース１１，１１′の下面中央には逆Ｔ字状の抜け止め部１１ｃを一体突出形成してある。この各ポールベース１１，１１′の抜け止め部１１ｃは各ガイド溝５，５′のストッパとなる一端５ａ側（図中上端で各ポールベースのローディング完了位置側）に形成された幅広部５ｂより挿入されて組み付けられるようになっている。即ち、各ガイド溝５，５′の幅広部５ｂの幅Ｂは、各ポールベース１１，１１′の抜け止め部１１ｃの幅Ｃ及び各ガイド溝５，５′の他の部分の幅Ｄよりも幅広になっていて、各ポールベース１１，１１′の抜け止め部１１ｃの幅Ｃは各ガイド溝５，５′の他の部分の幅Ｄよりも幅広になっている。
【００１７】
さらに、各ガイド溝５，５′の幅広部５ｂの回転ドラム３寄りの位置のシャーシ４上には、該幅広部５ｂへの各ポールベース１１，１１′の抜け止め部１１ｃの挿入時に該各ポールベース１１，１１′が回転ドラム３に当たらないように案内する円柱状のガイド６を突設してある。即ち、各ガイド溝５，５′の幅広部５ｂへの各ポールベース１１，１１′の抜け止め部１１ｃの挿入時に、各ポールベース１１，１１′の相対向する側面１１ｄの下部が各ガイド６の周壁に当たってその姿勢が図５（ｂ）に示すように不安定とならないように規制して案内するようになっている。
【００１８】
図１〜図３に示すように、各ローディングアーム１６，１６′の基端部にはローディングギヤ１７，１７′をそれぞれ一体形成してある。このサプライ側のローディングアーム１６の基端部に一体形成されたローディングギヤ１７とテイクアップ側のローディングアーム１６′の基端部に一体形成されたローディングギヤ１７′とは噛合していて、該サプライ側のローディングギヤ１７（サプライ側のローディングアーム１６の基端部の下面側）にはピニオン１７ａを更に一体突出形成してある。このピニオン１７ａは、図示しない駆動モータ等によりシャーシ４の下面に沿って往復移動する合成樹脂製で略矩形板状のコントロールプレート１９のラック１９ａに噛合している。さらに、サプライ側のローディングアーム１６の中途部の下面には、コントロールプレート１９のラック１９ａの上方に設けられたカム１９ｂに摺動する円柱状のボス（カムフォロア）１６ｂを一体突出形成してある。
【００１９】
図１〜図３及び図４（ａ），（ｂ），（ｃ）に示すように、サプライ側及びテイクアップ側の一対の捩りコイルバネ２０，２０′は同一形状のものであり、Ｃ字状の両端２０ａ，２０ａと中央部の巻回部２０ｂとを備えている。そして、図２に示すように、各捩りコイルバネ２０，２０′の一端２０ａは各ローディングアーム１６，１６′の先端に抜け止め自在にピン枢支され、該各捩りコイルバネ２０，２０′の他端２０ａは各ポールベース１１，１１′のガイドピン１１ｂに抜け止め自在にピン枢支されている。そして、各捩りコイルバネ２０，２０′の中央部の巻回部２０ｂは、図４（ａ）に示すアンローディング状態、図４（ｂ）に示すローディング途中（初期状態）、図４（ｃ）に示すローディング完了状態になるにしたがって図中下方に移動して直線状態からくの字状の状態に弾性変形するようになっている。これにより、各ポールベース１１，１１′をアンローディング位置（各ガイド溝５，５′のストッパとなる図中下端５ｃ側）及びローディング完了位置（各ガイド溝５，５′のストッパとなる図中上端５ａ側）にそれぞれ圧着規制するようになっている。
【００２０】
以上実施形態のテープローディング機構１０によれば、図１に示すように、各ポールベース１１，１１′のアンローディング位置においては、各捩りコイルバネ２０，２０′が伸び方向に作用して、該各ポールベース１１，１１′の位置を各捩りコイルバネ２０，２０′の付勢力により上記アンローディング位置（各ガイド溝５，５′の下端５ｃ）に簡単かつ確実に圧着規制することができる。言い換えると、各ポールベース１１，１１′の下端が各ガイド溝５，５′の下端５ｃに当接した時に各捩りコイルバネ２０，２０′による圧着力が発生している。
【００２１】
そして、コントロールプレート１９の往動（図１中矢印Ａ方向の移動）で、サプライ側のローディングアーム１６が該ローディングアーム１６の基端部に一体形成されたローディングギヤ１７を介して時計方向に、テイクアップ側のローディングアーム１６′が該ローディングアーム１６′の基端部に一体形成されたローディングギヤ１７′を介して反時計方向に、それぞれ回転し、これら各ローディングアーム１６，１６′と各捩りコイルバネ２０，２０′と各ポールベース１１，１１′から成るリンク機構により、各ポールベース１１，１１′がシャーシ４の各ガイド溝５，５′に沿って移動してテープカセット１の磁気テープ２を回転ドラム３側に引き出す。
【００２２】
各ポールベース１１，１１′がシャーシ４の各ガイド溝５，５′の上端５ａのローディング完了位置に来ると、各ローディングアーム１６，１６′と各ポールベース１１，１１′との間に介在された各捩りコイルバネ２０，２０′の弾性付勢力によってリミッター機構が働いて上記各ポールベース１１，１１′がローディング完了位置に圧着規制される。このローディング完了位置では各ポールベース１１，１１′の上端が各ガイド溝５，５′の上端近傍に設けたストッパ（図示せず）に当接した時に、各捩りコイルバネ２０，２０′による圧着力が発生している。また、この際の圧着力は、サプライ側のローディングギヤ１７のピニオン１７ａの欠歯部分１７ｂとコントロールプレート１９のラック１９ａとの摩擦によっても得られるが、各ポールベース１１，１１′のローディング途中からはサプライ側のローディングアーム１６のボス１６ｂがコントロールプレート１９のカム１９ｂに摺動することで圧着力を得る。これによって、上記各ポールベース１１，１１′をローディング完了位置に圧着規制する際に従来生じていたサプライ側のローディングギヤ１７のピニオン１７ａの欠歯部分１７ｂの磨耗が軽減される。
【００２３】
また、このテープローディング機構１０では、ローディングアーム１６，１６′の基端部にローディングギヤ１７，１７′を一体形成し、さらに、従来の中間リンク１５，１５′とコイルバネ１８，１８′とを１つの構成部品である捩りコイルバネ２０，２０′で兼用したので、全体の構成部品が片側で従来の５部品から３部品に削減することができ、その分低コスト化を図ることができる。また、各ポールベース１１，１１′をシャーシ４の各ガイド溝５，５′の下端５ｃのアンローディング位置に圧着規制するためのロック機構を捩りコイルバネ２０，２０′で兼ねることができるため、この点からも構成部品を削減することができて低コスト化をより一段と図ることができる。
【００２４】
さらに、シャーシ４上の各ガイド溝５，５′の幅広部５ｂの回転ドラム３寄りの所定位置に各ガイド６を突設してあるので、各ガイド溝５，５′の幅広部５ｂへの各ポールベース１１，１１′の抜け止め部１１ｃの挿入時に、各ポールベース１１，１１′の相対向する側面１１ｄの下部が上記各ガイド６の周壁に当たってその姿勢が図５（ｂ）に示すように不安定となることがなく、幅広部５ｂへの各ポールベース１１，１１′の抜け止め部１１ｃの挿入時に各ポールベース１１，１１′が回転ドラム３に接触することがない。
【００２５】
尚、前記実施形態によれば、長孔状のガイド溝に沿ってポールベースをスライド摺動自在にしたが、長穴状（凹状）のガイド溝に沿ってポールベースをスライド摺動自在にしても良い。
【００２６】
【発明の効果】
以上説明したように、請求項１の発明のテープローディング機構によれば、ローディングアームの基端部にローディングギヤを一体形成し、このローディングアームの先端側とポールベースとに捩りコイルバネの両端側をそれぞれ支持してポールベースをアンローディング位置及びローディング完了位置にそれぞれ圧着規制自在にしたことにより、構成部品を削減してコストダウンを大幅に図ることができる。さらに、シャーシにコントロールプレートを往復移動自在に設け、このコントロールプレートに設けられたラックをローディングギヤのピニオンに噛合させると共に、該コントロールプレートに設けられたカムを前記ローディングアームに設けられたカムフォロアに摺動自在にしたことにより、ポールベースのローディング完了時に圧着力を付与するローディングギヤのピニオンの欠歯部分の磨耗を軽減することができる。
【００２８】
請求項２の発明のテープローディング機構によれば、ガイド溝のポールベースのローディング完了位置側に幅広部を設け、この幅広部からガイド溝内にポールベースの下面に突設した逆Ｔ字状の抜け止め部を挿入自在にする一方、シャーシのポールベースのローディング完了位置側に、幅広部への抜け止め部の挿入時に該ポールベースの位置を所定位置に規制するガイドを設けたことにより、ガイド溝の幅広部へのポールベースの抜け止め部の挿入時に、ポールベースの姿勢を安定させてポールベースと回転ドラムとの接触を確実に防ぐことができる。
【図面の簡単な説明】
【図１】本発明の一実施形態の磁気記録再生装置のテープローディング機構のアンローディング状態を示す平面図である。
【図２】上記テープローディング機構のローディング途中の状態を示す平面図である。
【図３】上記テープローディング機構のローディング完了状態を示す平面図である。
【図４】（ａ）は上記テープローディング機構のアンローディング時の捩りコイルバネの状態を示す説明図、（ｂ）は同機構のローディング初期の捩りコイルバネの状態を示す説明図、（ｃ）は同機構のローディング完了時の捩りコイルバネの状態を示す説明図である。
【図５】（ａ）は上記テープローディング機構のポールベースをガイド溝に組み付ける際の説明図、（ｂ）は同ポールベースが姿勢不安定の場合の説明図、（ｃ）は同ポールベースがガイドにより位置規制されている場合の説明図である。
【図６】従来例の磁気記録再生装置のテープローディング機構のアンローディング状態を示す平面図である。
【符号の説明】
２  磁気テープ
３  回転ドラム
４  シャーシ
５，５′  ガイド溝
５ｂ  幅広部
６  ガイド
１０  テープローディング機構
１１，１１′  ポールベース
１１ｃ  抜け止め部
１２  傾斜ポール（ポール）
１６，１６′  ローディングアーム
１６ｂ  ボス（カムフォロア）
１７，１７′  ローディングギヤ
１９  コントロールプレート
１９ａ  ラック
１９ｂ  カム
２０，２０′  捩りコイルバネ
２０ａ，２０ａ  両端
【図１】
0003562286.tif 000002
【図２】
0003562286.tif 000003
【図３】
0003562286.tif 000004
【図４】
0003562286.tif 000005
【図５】
0003562286.tif 000006
【図６】
0003562286.tif 000007